(57)【要約】【課題】施錠しているときも施錠防止部材を紛失する恐れがないクレセント錠装置を提供する。【解決手段】引き違いのガラス窓２１０、２２０に取り付けられ、クレセント部１１０が回動してクレセント受け１２０に収容されることでガラス窓２１０、２２０を施錠するクレセント錠装置１００において、施錠を防止するための施錠防止部材１３０がクレセント部１１０又はクレセント受け１２０に着脱され、施錠防止部材１３０は、クレセント部１１０に当接することでクレセント部１１０がクレセント受け１２０に収容されることを規制し、クレセント部１１０から離間することでクレセント部１１０がクレセント受け１２０に収容されることを許容する、クレセント規制部１３１と、クレセント規制部１３１をクレセント部１１０から離間させる操作をするための離間操作部１３２と、を備える。【選択図】図１
2015031114.tif 000002
【特許請求の範囲】
【請求項１】
引き違いの建具（２１０、２２０）に取り付けられ、クレセント部（１１０）が回動してクレセント受け（１２０）に収容されることで前記建具を施錠するクレセント錠装置（１００）において、
施錠を防止するための施錠防止部材（１３０）が前記クレセント部又は前記クレセント受けに着脱され、
前記施錠防止部材は、前記クレセント部に当接することで前記クレセント部が前記クレセント受けに収容されることを規制し、前記クレセント部から離間することで前記クレセント部が前記クレセント受けに収容されることを許容する、クレセント規制部（１３１）と、
前記クレセント規制部を前記クレセント部から離間させる操作をするための離間操作部（１３２）と、
を備えたことを特徴とする、クレセント錠装置。
【請求項２】
前記施錠防止部材に、前記施錠防止部材を前記クレセント部又はクレセント受けに着脱するための着脱構造（１３３、１３３ａ）を備えたことを特徴とする、請求項１に記載のクレセント錠装置。
【発明の詳細な説明】
【技術分野】
【０００１】
本発明は、引き違いの建具に取り付けられ、クレセント部が回動してクレセント受けに収容されることで建具を施錠するクレセント錠装置に関する。
【背景技術】
【０００２】
マンションなどの集合住宅では、室内からバルコニーに出る際には、バルコニーに面した窓を開けて出る構造となっており、バルコニーに出ている間は、窓のカギは開いたままにしておく必要がある。しかし、幼児がいる家庭などでは、幼児のみを室内に残したままバルコニーに出る場合がある。このような場合に、幼児が誤って窓に施錠をしてしまい、バルコニーに締め出されてしまうことがある。
【０００３】
このような締め出しを防止するのものとして、例えば、特許文献１に示されるものが知られている。これに示されるものは、障子の召し合わせ框に設けられているクレセント受けに窓締め防止具を取付けてクレセントを施錠することができないようにしている。また、クレセントを施錠する際には、クレセント受けから窓締め防止具を取外して、その後、施錠を行うようになっている。
【先行技術文献】
【特許文献】
【０００４】
【特許文献１】実用新案登録第３１０００８４号公報
【発明の概要】
【発明が解決しようとする課題】
【０００５】
ところで、クレセントの施錠を防止している間は、窓締め防止具はクレセント受けに取付けられたままの状態であるため、窓締め防止具が紛失することはない。しかし、クレセントを施錠するときや施錠している間は、窓締め防止具はクレセント受けから取外されていなければならない。さらに、室内に居て、窓を開けているときも、窓締め防止具を使う必要がないため、取外したままの状態となっていることが多い。このように、窓締め防止具は締め出しを防止したいときにだけ使う特別なものであり、それ以外のときは取外されているものである。このため、窓締め防止具は紛失しやすいものであり、紛失しないために、取扱いに注意を要するという問題があった。
【０００６】
そこで、本発明は、このような問題に鑑みてなされたもので、その目的とするところは、施錠を防止していないときも紛失する恐れがないクレセント錠装置を提供することにある。
【課題を解決するための手段】
【０００７】
上記課題を解決するために、本発明によれば、引き違いの建具に取り付けられ、クレセント部が回動してクレセント受けに収容されることで建具を施錠するクレセント錠装置において、施錠を防止するための施錠防止部材がクレセント部又はクレセント受けに着脱され、施錠防止部材は、クレセント部に当接することでクレセント部がクレセント受けに収容されることを規制し、クレセント部から離間することでクレセント部がクレセント受けに収容されることを許容する、クレセント規制部と、クレセント規制部をクレセント部から離間させる操作をするための離間操作部と、を備えたクレセント錠装置が提供される。
【０００８】
かかる発明によれば、離間操作部を操作しない限り、施錠防止部材のクレセント規制部がクレセント部に当接するため、クレセント部を回動させてもクレセント部がクレセント受けに収容されることはない。このため、誤って建具が施錠されることがない。
【０００９】
また、離間操作部を操作すると、クレセント規制部がクレセント部から離間し、クレセント部を回動させてクレセント受けに収容することができるので、施錠防止部材を取外すことなく建具を施錠することができる。
【００１０】
このように、施錠防止部材を取り外すことなく建具の施錠及び施錠の防止ができる。また、施錠防止部材を取外さないため、施錠防止部材が紛失することがない。
【００１１】
施錠防止部材に、施錠防止部材をクレセント部又はクレセント受けに着脱するための着脱構造を備えたようにしてもよい。この着脱構造により、通常のクレセント錠に施錠防止部材を取付けるだけで、建具を誤って施錠してしまうことを防止することができるクレセント錠装置を容易に構成することができる。また、施錠防止部材は、子供が大きくなり、誤って建具を施錠してしまうようなことがなくなった際には、不要になるものである。そこで、施錠防止部材が不要になった際には、着脱構造によって、施錠防止部材を取外すことにより、通常のクレセント錠として使用することができる。
【発明の効果】
【００１２】
本発明によれば、離間操作部の操作により、クレセント規制部をクレセント部に当接させたり離間させたりして、クレセント部がクレセント受けに収容されない状態と収容される状態とを切替えることができるため、施錠防止部材を取外すことなく建具の施錠及び施錠の防止を行うことができる。また、施錠防止部材を取外さないため、施錠防止部材が紛失することもない。本発明のその他の効果については、以下の発明を実施するための形態の項でも説明する。
【図面の簡単な説明】
【００１３】
【図１】本発明の実施形態にかかるクレセント錠装置を窓枠に取付けた状態を示す図であり、（ａ）は開錠した状態を、（ｂ）は施錠した状態を、それぞれ示す。
【図２】クレセント錠装置の斜視図であり、（ａ）は分解された状態を、（ｂ）は組み立てられた状態を、それぞれ示す。
【図３】クレセント錠装置の施錠が防止されている状態の正面図であり、（ａ）はクレセント部を回転させている途中の状態を、（ｂ）は施錠防止部材がクレセント受けに当接している状態を、それぞれ示す。
【図４】クレセント錠装置が施錠することができる状態の正面図であり、（ａ）はクレセント部を回転させている途中の状態を、（ｂ）はクレセント部がクレセント受けに収容されている途中の状態を、（ｃ）はクレセント部がクレセント受けに完全に収容された状態を、（ｄ）は施錠防止部材の操作を終了した状態を、それぞれ示す。
【図５】クレセント部から施錠防止部材を取り外した、通常のクレセント錠を示す図であり、（ａ）は開錠した状態を、（ｂ）は施錠した状態を、それぞれ示す。
【発明を実施するための形態】
【００１４】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１５】
本発明の実施形態にかかるクレセント錠装置１００について、図１〜図４を参照しながら説明する。図１は、クレセント錠装置１００を窓枠に取付けた状態を示す図である。図２は、クレセント錠装置の斜視図である。図３は、クレセント錠装置１００の施錠が防止されている状態の図である。図４は、クレセント錠装置１００が施錠することができる状態の図である。
【００１６】
まず、図１を参照しながら、本実施形態にかかるクレセント錠装置１００をマンションなどの集合住宅のベランダに面した引違いの建具であるガラス窓２１０、２２０に実施した例を説明する。なお、本実施形態では、ガラス窓を例に説明するが、引違いの建具であればこれに限定されるものではない。
【００１７】
本実施形態のガラス窓２１０、２２０は、室内側に配置された室内側ガラス窓２１０と屋外側に配置された屋外側ガラス窓２２０とを引違いに配設したものであり、どちらか一方、あるいは両方のガラス窓２１０、２２０を摺動することにより、開閉されるものである。
【００１８】
２つのガラス窓２１０、２２０には、これらを閉めた状態において、それぞれの窓枠２１１、２２１に互いに重なり合う部分が形成されるが、この両窓枠２１１、２２１の重なり合う部分にクレセント錠装置１００が取付けられる。なお、窓枠は、木製、鉄製、アルミ合金製などクレセント錠装置が取付けられるものであれば何でもよい。
【００１９】
クレセント錠装置１００は、室内側ガラス窓２１０の室内側窓枠２１１に取付けられるクレセント部１１０と、屋外側ガラス窓２２０の屋外側窓枠２２１に取付けられるクレセント受け１２０と、クレセント部１１０に取付けられる施錠防止部材１３０を備えて構成されている。クレセント錠装置１００は、図１（ａ）に示す開錠されている状態から図１（ｂ）に示す施錠されている状態まで１８０度回転するようになっている。開錠されているときには、図１（ａ）に示すように、施錠防止部材１３０は、クレセント部１１０に当接しており、施錠されているときには、図１（ｂ）に示すように、規制防止部材１３０はクレセント部１１０から離間するようになっている。
【００２０】
次に、図２を参照しながら、本実施形態にかかるクレセント錠装置１００の各構成について詳細に説明する。
【００２１】
（クレセント部１１０）
クレセント部１１０は、クレセント部１１０を室内側窓枠２１１に回転できるように取付ける回転軸部１１１と、回転軸部１１１と一体に回転し、回転軸部１１１の外周から扇状に広がって構成される平板状の扇状部１１２と、扇状部１１２の円弧状の外周に沿って軸方向に突出するように形成される円弧状突部１１３と、円弧状突部１１３と一体的に形成され、クレセント部１１０の回転を操作する操作レバー１１４と、を備えて構成される。
【００２２】
（クレセント受け１２０）
クレセント受け１２０は、先端部にフック状に折れ曲がって形成されたフック部１２１を備えており、基端部１２２が前述のように屋外側窓枠２２１に取付られる。図１（ｂ）に示すように、フック部１２１にクレセント部１１０の円弧状突部１１３が収容されることにより施錠が行われる。
【００２３】
（施錠防止部材１３０）
施錠防止部材１３０は、クレセント部１１０の円弧状突部１１３に当接したり離間したりするクレセント規制部１３１と、クレセント規制部１３１を操作するための離間操作部１３２と、施錠防止部材１３０をクレセント部１１０の円弧状突部１１３に着脱するための着脱部（着脱構造）１３３と、着脱部１３３とクレセント規制部１３１とを連結するバネ部１３４と、を備えて構成される。以下、施錠防止部材１３０の各構成について詳細に説明する。
【００２４】
（クレセント規制部１３１）
クレセント規制部１３１は、図２に示すように、クレセント部１１０の円弧状突部１１３の外周面の形状に沿った円弧状に構成されており、先端部が円弧状突部１１３の先端部に重なるように配設される。
【００２５】
（離間操作部１３２）
離間操作部１３２は、図２に示したように、クレセント規制部１３１の後端部から直線状に突出して一体に形成されている。離間操作部１３２は、これを操作することにより、クレセント規制部１３１をクレセント部１１０の円弧状突部１１３に当接させたり、離間させたりすることができる。
【００２６】
（着脱部１３３）
着脱部１３３は、凹部（着脱構造）１３３ａを備えており、凹部１３３ａを円弧状突部１１３に嵌め合わせることにより、施錠防止部材１３０がクレセント部１１０に取付けられる。一方、凹部１３３ａと円弧状突部１１３との嵌め合わせを解除することにより、施錠防止部材１３０をクレセント部１１０から取外すことができる。なお、着脱部は、円弧状突部に取付けられる構造であれば、クリップ状の構造など、他の構造でもよい。
【００２７】
（バネ部１３４）
バネ部１３４は、コイルバネであり、これの一端がクレセント規制部１３１の後端部近傍の内周面に取付けられて、他端部が円弧の中心に向かって突出している。そして、この他端部は着脱部１３３に連結されている。これにより、バネ部１３４は、クレセント規制部１３１と着脱部１３３とを互いに離間する方向に常時付勢している。なお、バネ部はコイルバネに限定されず、板バネなどでもよい。
【００２８】
次に、クレセント部１１０に施錠防止部材１３０を取付ける方法について、図２を参照しながら説明する。まず、図２（ａ）に示すように、施錠防止部材１３０の凹部１３３ａとクレセント部１１０の円弧状突部１１３の側端部とが対面するように、施錠防止部材１３０とクレセント部１１０とを配置する。次に、図２（ｂ）に示すように、着脱部１３３の凹部１３３ａを、円弧状突部１１３の操作レバー部１１４寄りの端部近傍に嵌め合わせる。これにより、着脱部１３３が円弧状突部１１３に取付けられて、施錠防止部材１３０をクレセント部１１０に取付けることができる。このように取付けられた状態において、施錠防止部材１３０のクレセント規制部１３１の内周面が、円弧状突部１１３の外周面と対面するように位置し、さらにバネ部１３４の付勢力により、クレセント規制部１３１の先端側が円弧状突部１１３に当接している。
【００２９】
次に、本実施形態にかかるクレセント錠装置１００において、施錠を防止するときの操作と、施錠をするときの操作について説明する。まず、ここでは、図３を参照しながら、施錠を防止するときの操作について説明する。
【００３０】
図３（ａ）に示すように、クレセント錠装置１００が開錠されており、施錠防止部材１３０の離間操作部１３２が操作されていない状態では、クレセント規制部１３１は、バネ部１３４の付勢力により先端側がクレセント部１１０の円弧状突部１１３に当接している。施錠防止部材１３０がこの状態において、クレセント部１１０の操作レバー１１４を施錠する方向に操作すると、クレセント部１１０が施錠する方向、すなわち、図３（ａ）中反時計方向に回転する。これにより、クレセント部１１０が、図３（ａ）中破線の状態から実線の状態になる。この後、操作レバー１１４を施錠する方向にさらに操作すると、クレセント部１１０がさらに回転する。
【００３１】
そして、図３（ｂ）に示すように、円弧状突部１１３がクレセント受け１２０に収容される直前に、クレセント規制部１３１の先端がクレセント受け１２０に当接する。これにより、クレセント部１１０は、それ以上回転することができないので、円弧状突部１１３がクレセント受け１２０に収容されることが規制される。これにより、クレセント錠装置１００の施錠が防止される。
【００３２】
次に、図４を参照しながら、クレセント錠装置１００を施錠するときの操作について説明する。
まず、図４（ａ）に示すように、クレセント錠装置１００が開錠されている状態において、施錠防止部材１３０の離間操作部１３２を円弧状突部１１３に接近する方向に押圧する。これにより、バネ部１３４が弾性変形して離間操作部１３２の後端側が円弧状突部１１３に接近し、クレセント規制部１３１の先端側が円弧状突部１１３から離間する方向に揺動する。よって、クレセント錠装置１００は施錠をすることができる状態になる。
【００３３】
施錠防止部材１３０のこの状態を保持しつつ、クレセント部１１０の操作レバー１１４を施錠する方向に操作すると、クレセント部１１０が施錠する方向、すなわち、図４（ａ）中反時計方向に回転する。これにより、クレセント部１１０が、図４（ａ）中破線の状態から実線の状態になる。この後、操作レバー１１４を施錠する方向にさらに操作すると、クレセント部１１０がさらに回転する。
【００３４】
施錠防止部材１３０の施錠をできる状態を保持しつつ、円弧状突部１１３をクレセント受け１２０に収容される位置まで回転させる。すると、図４（ｂ）に示すように、クレセント規制部１３１はクレセント受け１２０に当接することなく、クレセント受け１２０の外側を通過する状態を保ちつつ回転していく。これにより、円弧状突部１１３がクレセント受け１２０に収容されていく。
【００３５】
この後、施錠防止部材１３０の施錠をできる状態を保持しつつ、操作レバー１１４を施錠する方向にさらに操作する。これにより、クレセント規制部１３１はクレセント受け１２０の外側を通過していくとともに、円弧状突部１１３はクレセント受け１２０にさらに収容されていく。そして、クレセント部１１０が施錠する方向へ最も回転した状態である図４（ｃ）に示す状態まで回転すると、回転が規制される。これにより、クレセント錠装置１００が施錠される。
【００３６】
この後、離間操作部１３２の操作を終了すると、バネ部１３４の付勢力により、クレセント規制部１３１の先端側が円弧状突部１１３に接近し、離間操作部１３２の後端側が円弧状突部１１３から離間する方向に揺動する。これにより、図４（ｄ）に示すように、クレセント規制部１３１がクレセント受け１２０の外側に当接した状態となる。
【００３７】
このように、クレセント部１１０に取付けられた施錠防止部材１３０の離間操作部１３２を操作するだけで、クレセント錠装置１００の施錠を防止したり、施錠したりすることができるため、施錠防止部材１３０をクレセント部１１０に取付けた状態のまま操作することができる。したがって、クレセント錠装置１００を施錠するときや施錠している間に施錠防止部材１３０が紛失してしまうことを防止することができる。
【００３８】
また、施錠防止部材１３０の離間操作部１３２を操作しない限り、クレセント部１１０の操作レバー１１４を操作するだけでは施錠することができない構造であるため、誤って施錠されてしまうことを防止することができる。
【００３９】
施錠防止部材１３０は、着脱部１３３によってクレセント部１１０に着脱することができる。このため、施錠防止部材１３０が不要になったときには、着脱部１３３を円弧状突部１１３から離脱させることにより、施錠防止部材１３０をクレセント部１１０から取外すことができる。このようにクレセント部１１０から施錠防止部材１３０を取外すことにより、図５に示すように、施錠防止部材１３０が設けられていないクレセント部１１０とクレセント受け１２０により構成される通常のクレセント錠に容易に変更することができる。
【００４０】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００４１】
施錠防止部材は、クレセント部ではなく、クレセント受けに取付けるようにしてもよい。この場合、施錠を防止したいときは、クレセント受けを閉じるように施錠防止部材を切替えて、円弧状突部が施錠防止部材に当接してクレセント受けに進入することができないようにする。一方、施錠をしたいときは、クレセント受けを開くように施錠防止部材を切替えて、施錠防止部材を円弧状突部と当接しない位置に離間させ、円弧状突部がクレセント受けに進入することができるようにする。この場合も、施錠をする際に施錠防止部材をクレセント受けから取外す必要が無く、施錠防止部材が紛失してしまうことを防止することができる。
【００４２】
また、上記実施形態では、着脱部とバネ部を別体のものとしたが、樹脂素材からなる弾性変形可能な一体構造のものなどとしてもよい。
【００４３】
さらに、クレセント部は上記実施形態のものに限定されない。例えば、施錠防止部材を円弧状突部に設けるようにしたものでは、円弧状突部が常時露出している構成のクレセント部であればよく、一例として、回転軸の部分に操作レバーが設けられているようなタイプのものでもよい。また、施錠防止部材をクレセント受けに設けるようにしたものでは、クレセント部の形状に限定はない。例えば、クレセント部全体がカバーで覆われており、施錠したときに円弧状突部とクレセント受けとがカバーで覆われてしまうタイプのものや、クレセント部の扇状部と円弧状突部のみが箱型のカバーで覆われており、開錠されているときには、扇状部と円弧状突部がカバー内に収納されているが、施錠する際には、回転に伴って扇状部と円弧状突部がカバーから外部に突出し、クレセント受けに進入していくようなタイプのものなどでもよい。
【符号の説明】
【００４４】
１００  クレセント錠装置
１１０  クレセント部
１２０  クレセント受け
１３０  施錠防止部材
１３１  クレセント規制部
１３２  離間操作部
１３３  着脱部（着脱構造）
１３３ａ  凹部（着脱構造）
２１０  室内側ガラス窓（建具）
２２０  屋外側ガラス窓（建具）
【図１】
2015031114.tif 000003
【図２】
2015031114.tif 000004
【図３】
2015031114.tif 000005
【図４】
2015031114.tif 000006
【図５】
2015031114.tif 000007